(57)【要約】【課題】トナー画像を定着させる際に印刷媒体の温度ムラの発生を抑制する画像形成装置を得る。【解決手段】画像形成装置は、吸引孔３１ａ，３１ｂがそれぞれ設けられた搬送ベルト３０ａ，３０ｂを備える。印刷媒体４０が搬送ベルト３０ａにより搬送される際、印刷媒体４０には、搬送ベルト３０ａに接触する第１接触領域と、第１搬送ベルト３０ａに接触せずに吸引孔３１ａを通して吸引される第１非接触領域とが形成される。印刷媒体４０が搬送ベルト３０ｂにより搬送される際、印刷媒体４０には、第２搬送ベルト３０ｂに接触する第２接触領域と、第２搬送ベルト３０ｂに接触せずに吸引孔３１ｂを通して吸引される第２非接触領域とが形成される。吸引孔３１ａ，３１ｂは、第１接触領域と第２非接触領域とが互いに重なるとともに、第１非接触領域と第２接触領域とが互いに重なるようにそれぞれ配設される。【選択図】図７
2013003441.tif 000002
【特許請求の範囲】
【請求項１】
湿式電子写真方式を用いて印刷媒体の表面に画像を形成する画像形成装置であって、
前記印刷媒体の前記表面にトナー画像を定着させる第１定着器と、
前記第１定着器を通過した前記印刷媒体を搬送し、第１吸引孔が設けられるとともに、所定の温度に加熱された第１搬送ベルトと、
前記第１搬送ベルトによって搬送された前記印刷媒体を搬送し、第２吸引孔が設けられるとともに、他の所定の温度に加熱された第２搬送ベルトと、
前記第２搬送ベルトによって搬送された前記印刷媒体の前記表面に前記トナー画像を定着させる第２定着器と、を備え、
前記印刷媒体が前記第１搬送ベルトによって搬送される際、前記印刷媒体には、前記印刷媒体および前記第１搬送ベルト同士が接触することによって加熱される第１接触領域と、前記印刷媒体および前記第１搬送ベルト同士が接触せずに前記第１吸引孔を通して吸引される第１非接触領域とが形成され、
前記印刷媒体が前記第２搬送ベルトによって搬送される際、前記印刷媒体には、前記印刷媒体および前記第２搬送ベルト同士が接触することによって加熱される第２接触領域と、前記印刷媒体および前記第２搬送ベルト同士が接触せずに前記第２吸引孔を通して吸引される第２非接触領域とが形成され、
前記第１搬送ベルトの前記第１吸引孔および前記第２搬送ベルトの前記第２吸引孔は、前記第１接触領域と前記第２非接触領域とが互いに重なるとともに、前記第１非接触領域と前記第２接触領域とが互いに重なるように、それぞれ配設される、
画像形成装置。
【請求項２】
前記第１搬送ベルトの前記第１吸引孔および前記第２搬送ベルトの前記第２吸引孔は、
前記第１接触領域と前記第２非接触領域とが互いに重なる部分と、前記第１非接触領域と前記第２接触領域とが互いに重なる部分とが、前記印刷媒体の搬送方向に対して直交する方向に隣り合って形成されるように、それぞれ配設される、
請求項１に記載の画像形成装置。
【請求項３】
前記第１搬送ベルトの前記第１吸引孔および前記第２搬送ベルトの前記第２吸引孔は、
前記第１接触領域と前記第２非接触領域とが互いに重なる部分と、前記第１非接触領域と前記第２接触領域とが互いに重なる部分とが、前記印刷媒体の搬送方向に隣り合って形成されるように、それぞれ配設される、
請求項１または２に記載の画像形成装置。
【請求項４】
前記第１吸引孔の形状および前記第２吸引孔の形状は、多角形状である、
請求項１から３のいずれかに記載の画像形成装置。
【発明の詳細な説明】
【技術分野】
【０００１】
本発明は、画像形成装置に関し、特に、湿式電子写真方式を用いて印刷媒体の表面に画像を形成する画像形成装置に関する。
【背景技術】
【０００２】
特開２０１０−０６１０５９号公報（特許文献１）に開示されるように、湿式電子写真方式を用いて印刷媒体の表面に画像を形成する画像形成装置（以下、湿式画像形成装置という）が知られている。湿式画像形成装置においては、液体現像剤が用いられる。液体現像剤は、トナー粒子とキャリア液とを含む。液体現像剤は、印刷媒体の表面に、トナー画像（トナー層）として転写される。
【０００３】
印刷媒体の表面に転写されたトナー画像を定着器を用いて印刷媒体の表面に定着させるためには、トナー層中のキャリア液が取り除かれる必要がある。また、印刷媒体の一方の表面に形成された画像が印刷媒体の他方の表面から透けて見えること（以下、裏うつり現象という）の発生を抑制するためには、印刷媒体の内部に浸透したキャリア液が取り除かれる必要がある。
【０００４】
特開２０１０−０６１０５９号公報（特許文献１）に開示される湿式画像形成装置においては、２つの定着器と、２つの定着器の間に配置された１つの搬送ベルト（サクションベルト）とが用いられる。２つの定着器および１つの搬送ベルトによって、印刷媒体の表面のトナー層中に含まれるキャリア液、および、印刷媒体の内部に浸透したキャリア液は、それぞれ揮発される。これらのキャリア液の揮発によって、トナー画像が印刷媒体の表面に定着されるとともに、裏うつり現象の発生も抑制される。
【先行技術文献】
【特許文献】
【０００５】
【特許文献１】特開２０１０−０６１０５９号公報
【発明の概要】
【発明が解決しようとする課題】
【０００６】
特開２０１０−０６１０５９号公報（特許文献１）に開示される湿式画像形成装置においては、印刷媒体が搬送ベルトによって２つの定着器の間を搬送される際、印刷媒体には温度分布のばらつき（温度ムラ）が生じる。その結果、印刷媒体には、キャリア液が比較的多く揮発される部分と、キャリア液が比較的少なく揮発される部分とが存在している。キャリア液の揮発量に生じたばらつきは、印刷媒体の表面に形成される画像の品質（たとえば、画像の定着の度合い、画像の光沢の度合い、または画像の裏うつりの度合いなど）にも影響する。
【０００７】
本発明は、上記のような実情に鑑みて為されたものであって、印刷媒体の表面にトナー画像を定着させる際に、印刷媒体における温度ムラの発生を抑制することが可能な画像形成装置を提供することを目的とする。
【課題を解決するための手段】
【０００８】
本発明に基づく画像形成装置は、湿式電子写真方式を用いて印刷媒体の表面に画像を形成する画像形成装置であって、上記印刷媒体の上記表面にトナー画像を定着させる第１定着器と、上記第１定着器を通過した上記印刷媒体を搬送し、第１吸引孔が設けられるとともに、所定の温度に加熱された第１搬送ベルトと、上記第１搬送ベルトによって搬送された上記印刷媒体を搬送し、第２吸引孔が設けられるとともに、他の所定の温度に加熱された第２搬送ベルトと、上記第２搬送ベルトによって搬送された上記印刷媒体の上記表面に上記トナー画像を定着させる第２定着器と、を備え、上記印刷媒体が上記第１搬送ベルトによって搬送される際、上記印刷媒体には、上記印刷媒体および上記第１搬送ベルト同士が接触することによって加熱される第１接触領域と、上記印刷媒体および上記第１搬送ベルト同士が接触せずに上記第１吸引孔を通して吸引される第１非接触領域とが形成され、上記印刷媒体が上記第２搬送ベルトによって搬送される際、上記印刷媒体には、上記印刷媒体および上記第２搬送ベルト同士が接触することによって加熱される第２接触領域と、上記印刷媒体および上記第２搬送ベルト同士が接触せずに上記第２吸引孔を通して吸引される第２非接触領域とが形成され、上記第１搬送ベルトの上記第１吸引孔および上記第２搬送ベルトの上記第２吸引孔は、上記第１接触領域と上記第２非接触領域とが互いに重なるとともに、上記第１非接触領域と上記第２接触領域とが互いに重なるように、それぞれ配設される。
【０００９】
好ましくは、上記第１搬送ベルトの上記第１吸引孔および上記第２搬送ベルトの上記第２吸引孔は、上記第１接触領域と上記第２非接触領域とが互いに重なる部分と、上記第１非接触領域と上記第２接触領域とが互いに重なる部分とが、上記印刷媒体の搬送方向に対して直交する方向に隣り合って形成されるように、それぞれ配設される。
【００１０】
好ましくは、上記第１搬送ベルトの上記第１吸引孔および上記第２搬送ベルトの上記第２吸引孔は、上記第１接触領域と上記第２非接触領域とが互いに重なる部分と、上記第１非接触領域と上記第２接触領域とが互いに重なる部分とが、上記印刷媒体の搬送方向に隣り合って形成されるように、それぞれ配設される。
【００１１】
好ましくは、上記第１吸引孔の形状および上記第２吸引孔の形状は、多角形状である。
【発明の効果】
【００１２】
本発明によれば、印刷媒体の表面にトナー画像を定着させる際に、印刷媒体における温度ムラの発生を抑制することが可能な画像形成装置を得ることができる。
【図面の簡単な説明】
【００１３】
【図１】比較例における画像形成装置を模式的に示す図である。
【図２】比較例における画像形成装置の定着部を模式的に示す図である。
【図３】比較例における画像形成装置に用いられる搬送ベルト等を示す斜視図である。
【図４】比較例における画像形成装置に用いられる搬送ベルト等を示す平面図である。
【図５】比較例における画像形成装置に用いられる搬送ベルトによって搬送された後の印刷媒体を示す平面図である。
【図６】実施の形態１における画像形成装置を模式的に示す図である。
【図７】実施の形態１における画像形成装置の定着部を模式的に示す図である。
【図８】実施の形態１における画像形成装置に用いられる搬送ベルト等を示す平面図である。
【図９】実施の形態１における画像形成装置に用いられる搬送ベルト上を印刷媒体が通過する前の様子を示す平面図である。
【図１０】実施の形態１における画像形成装置に用いられる搬送ベルト（搬送ベルト３０ａ）上を印刷媒体が通過している際の様子を示す平面図である。
【図１１】実施の形態１における画像形成装置に用いられる搬送ベルト（搬送ベルト３０ａ）上を印刷媒体が通過している際の、印刷媒体の様子を示す平面図である。
【図１２】実施の形態１における画像形成装置に用いられる搬送ベルト（搬送ベルト３０ｂ）上を印刷媒体が通過している際の様子を示す平面図である。
【図１３】実施の形態１における画像形成装置に用いられる搬送ベルト（搬送ベルト３０ｂ）上を印刷媒体が通過している際の、印刷媒体の様子を示す平面図である。
【図１４】実施の形態１における画像形成装置に用いられる搬送ベルト（搬送ベルト３０ｂ）によって印刷媒体が搬送された後の、印刷媒体の様子を示す平面図である。
【図１５】実施の形態２における画像形成装置に用いられる搬送ベルト等を示す平面図である。
【図１６】実施の形態２における画像形成装置に用いられる搬送ベルト上を印刷媒体が通過する前の様子を示す平面図である。
【図１７】実施の形態２における画像形成装置に用いられる搬送ベルト（搬送ベルト３０ｂ）によって印刷媒体が搬送された後の、印刷媒体の様子を示す平面図である。
【図１８】実施の形態３における画像形成装置の定着部を模式的に示す図である。
【図１９】実施の形態３における画像形成装置に用いられる搬送ベルト等を示す平面図である。
【図２０】実施の形態３における画像形成装置に用いられる搬送ベルト（搬送ベルト３０ｄ）によって印刷媒体が搬送された後の、印刷媒体の様子を示す平面図である。
【図２１】実施の形態３の変形例における画像形成装置に用いられる搬送ベルト等を示す平面図である。
【図２２】実施の形態４における画像形成装置に用いられる搬送ベルト等を示す平面図である。
【発明を実施するための形態】
【００１４】
［比較例］
本発明に基づいた各実施の形態について説明する前に、本発明に関する比較例について説明する。比較例の説明において、同一の部品、相当部品に対しては、同一の参照番号を付し、重複する説明は繰り返さない場合がある。
【００１５】
（画像形成装置１００）
図１は、比較例における画像形成装置１００を模式的に示す図である。画像形成装置１００は、湿式電子写真方式を用いて印刷媒体４０（記録用紙）の表面に画像を形成する。画像形成装置１００は、矢印ＡＲ４１方向に回転する現像器４１、矢印ＡＲ４２方向に回転する感光体４２、矢印ＡＲ４３方向に回転する中間転写体４３、矢印ＡＲ４４方向に回転するバックアップ部材４４、および定着部５０を備える。
【００１６】
液体現像剤を含む現像器４１によって、感光体４２の表面にトナー画像が形成される。このトナー画像は、トナー粒子およびキャリア液を含む。感光体４２上のトナー画像は、中間転写体４３を通して印刷媒体４０の表面に転写される。表面にトナー画像４５（トナー層）が転写された印刷媒体４０は、定着部５０に向かって搬送される（矢印ＡＲ４０参照）。
【００１７】
（液体現像剤）
液体現像剤に用いられるキャリア液としては、絶縁性の溶媒が用いられる。液体現像剤に用いられるトナー粒子としては、主として樹脂と、着色のための顔料または染料とから構成される。樹脂は、顔料または染料をその樹脂中に均一に分散させる機能と、トナー画像が印刷媒体に定着される際のバインダーとしての機能とを有する。
【００１８】
液体現像剤中におけるトナー粒子の体積平均粒子径は、０．１μｍ以上５μｍ以下であるとよい。液体現像剤中におけるトナー粒子の体積平均粒子径が０．１μｍよりも小さくなると、そのトナー粒子は現像されにくくなる。液体現像剤中におけるトナー粒子の体積平均粒子径５μｍよりも大きくなると、そのトナー粒子から形成されるトナー画像の品質が低下する。
【００１９】
液体現像剤の質量に対するトナー粒子の質量の割合は、１０％以上５０％以下であるとよい。液体現像剤の質量に対するトナー粒子の質量の割合が１０％よりも小さくなると、トナー粒子の沈降が生じやすくなり、長期保管時の経時的な安定性が低下する。液体現像剤の質量に対するトナー粒子の質量の割合が１０％よりも小さくなると、所望の画像濃度を得るために多量の現像剤を供給する必要がある。記録用紙上に供給されるキャリア液の量が増加するため、トナー画像を定着させる際に多くのキャリア液を乾燥させる必要がある。キャリア液を乾燥させる際に、キャリア液から多くの蒸気が発生するため好ましくない。
【００２０】
液体現像剤の質量に対するトナー粒子の質量の割合が５０％よりも大きくなると、液体現像剤の粘度が高くなりすぎ、製造上および取り扱い上において不都合が生じる。本比較例においては、体積平均粒子径が２μｍであり、液体現像剤の質量に対するトナー粒子の質量の割合は３０％である。
【００２１】
（定着部５０）
図２は、比較例における定着部５０を模式的に示す図である。定着部５０は、第１定着器１０、第２定着器２０、および搬送ベルト３０（サクションベルト）を備える。
【００２２】
（第１定着器１０）
第１定着器１０は、印刷媒体４０の表面に転写されたトナー画像４５（図１参照）を、印刷媒体４０の表面に定着させる。第１定着器１０は、互いに対向するように配置された加熱ローラー１Ａおよび加圧ローラー１Ｂを含む。
【００２３】
加熱ローラー１Ａおよび加圧ローラー１Ｂは、アルミなどの熱伝導率の高い中空の金属製芯金（厚さ０．５ｍｍ〜５ｍｍ）と、ニップ幅を確保するために金属製芯金の外周に設けられた弾性層（厚さ０．５ｍｍ〜３ｍｍ）と、表面の離型性を高めるために弾性層の外周に設けられた離型層（厚さ１０μｍ〜５０μｍ）と、からそれぞれ構成される。弾性層としては、たとえばシリコンゴムが用いられる。離型層としては、ＰＴＦＥ（polytetrafluoroethylene）またはＰＦＡ（perfluoroalkoxy  polymer）などのフッ素系樹脂が用いられる。
【００２４】
加熱ローラー１Ａは、ヒーターランプ３Ａ（ハロゲンランプ）を内蔵する。ヒーターランプ３Ａが制御されることによって、加熱ローラー１Ａの表面の温度は所望の値に設定される。加圧ローラー１Ｂも、ヒーターランプ３Ｂ（ハロゲンランプ）を内蔵する。ヒーターランプ３Ｂが制御されることによって、加圧ローラー１Ｂの表面の温度は所望の値に設定される。
【００２５】
加熱ローラー１Ａおよび加圧ローラー１Ｂは、各々の両端が軸受部材（図示せず）によって回転自在に支持される。加熱ローラー１Ａの回転軸と加圧ローラー１Ｂの回転軸とは、互いに平行な位置関係にある。加圧ローラー１Ｂは、バネなどを有する加圧機構（図示せず）によって、加熱ローラー１Ａの表面に対して所定の圧力で圧接される。加熱ローラー１Ａと加圧ローラー１Ｂとの間に、圧接ニップ部が形成される。
【００２６】
加圧ローラー１Ｂは、所定の速度で矢印ＡＲ１Ｂ方向に回転駆動される。加熱ローラー１Ａは、加圧ローラー１Ｂの加熱ローラー１Ａに対する摩擦力によって、矢印ＡＲ１Ａ方向に従動回転する。当該構成に対して、加熱ローラー１Ａを回転駆動することによって、加圧ローラー１Ｂを従動回転させてもよい。
【００２７】
（第２定着器２０）
第２定着器２０も、印刷媒体４０の表面に転写されたトナー画像４５（図１参照）を、印刷媒体４０の表面に定着させる。第２定着器２０は、加熱ローラー２Ａおよび加圧ローラー２Ｂを含む。加熱ローラー２Ａおよび加圧ローラー２Ｂは、加熱ローラー１Ａおよび加圧ローラー１Ｂとそれぞれ同様に構成される。
【００２８】
加熱ローラー２Ａに内蔵されるヒーターランプ４Ａ（ハロゲンランプ）、および、加圧ローラー２Ｂに内蔵されるヒーターランプ４Ｂ（ハロゲンランプ）も、ヒーターランプ３Ａおよびヒーターランプ３Ｂとそれぞれ同様に構成される。加圧ローラー２Ｂは、所定の速度で矢印ＡＲ２Ｂ方向に回転駆動される。加熱ローラー２Ａは、矢印ＡＲ２Ａ方向に従動回転される。加熱ローラー２Ａを回転駆動することによって、加圧ローラー２Ｂを従動回転させてもよい。
【００２９】
（搬送ベルト３０）
第１定着器１０を通過した印刷媒体４０は、第２定着器２０にまで搬送ベルト３０によって搬送される。搬送ベルト３０は、シリコーンゴムなどの耐熱性の高い部材から環状に構成される。搬送ベルト３０は、第１定着器１０と第２定着器２０との間において、搬送ベルト３０の表面が印刷媒体４０の搬送経路（矢印ＡＲ４０参照）に沿うように配置される。
【００３０】
搬送ベルト３０は、駆動ローラー３２および従動ローラー３３に巻きかけられる。駆動ローラー３２および従動ローラー３３は、アルミ等の金属ローラーからそれぞれ構成される。駆動ローラー３２は、駆動機構（図示せず）によって矢印ＡＲ３２方向に回転駆動される。従動ローラー３３は、搬送ベルト３０を通して矢印ＡＲ３３方向に従動回転される。
【００３１】
駆動ローラー３２の回転速度は、搬送ベルト３０の表面が所望の速度で移動するように制御される。駆動ローラー３２および従動ローラー３３の印刷媒体４０の搬送方向における位置関係は、図２に示す態様であってもよいし、図２に示す態様の反対であってもよい。
【００３２】
駆動ローラー３２は、加熱手段としてヒーターランプ３５（ハロゲンランプ）を内蔵する。ヒーターランプ３５は、搬送ベルト３０の温度（搬送ベルト３０の表面の温度）が所望の値に設定されるように制御される。搬送ベルト３０が加熱されることによって、搬送ベルト３０により搬送される印刷媒体４０は加熱される。印刷媒体４０が第１定着器１０および第２定着器２０の間を搬送される際、印刷媒体４０の温度低下は抑制される。
【００３３】
図３および図４に示すように、搬送ベルト３０には、搬送ベルト３０によって搬送される印刷媒体４０を吸引するための複数の吸引孔３１が設けられる。複数の吸引孔３１は、印刷媒体４０が搬送される方向（矢印ＡＲ４０方向）および印刷媒体４０の幅方向（矢印ＤＲ４０方向）に沿ってそれぞれ間隔を空けて配列される。吸引ファンを内蔵する吸引装置３４（図２，図３参照）は、搬送ベルト３０によって搬送される印刷媒体４０を、複数の吸引孔３１を通して吸引する。
【００３４】
搬送ベルト３０によって印刷媒体４０が第１定着器１０および第２定着器２０の間を搬送される際、印刷媒体４０は、複数の吸引孔３１を通して吸引されることによって、搬送ベルト３０の表面に吸着される。印刷媒体４０は、搬送ベルト３０の表面に吸着されるとともに、搬送ベルト３０の表面からの熱を受けて昇温される。
【００３５】
ここで、搬送ベルト３０の表面に吸着された状態で搬送ベルト３０によって搬送される印刷媒体４０は、主として搬送ベルト３０の表面と接触している部分から熱を受ける。一方、印刷媒体４０のうち吸引孔３１を通して吸引されている部分は、搬送ベルト３０の表面と接触していない。印刷媒体４０のうち吸引孔３１を通して吸引されている部分は、印刷媒体４０のうち搬送ベルト３０の表面と接触している部分に比べて、昇温されにくい。
【００３６】
図５は、搬送ベルト３０によって搬送された後の印刷媒体４０を示す平面図である。図５に示すように、印刷媒体４０が搬送ベルト３０によって搬送された後、印刷媒体４０には、加熱領域Ｒ１および非加熱領域Ｒ２が形成される。
【００３７】
加熱領域Ｒ１は、印刷媒体４０が搬送ベルト３０によって搬送される際、印刷媒体４０のうち搬送ベルト３０の表面と接触していた部分に対応している。非加熱領域Ｒ２は、印刷媒体４０が搬送ベルト３０によって搬送される際、印刷媒体４０のうち搬送ベルト３０の表面と接触せずに複数の吸引孔３１を通して吸引されていた部分に対応している。
【００３８】
印刷媒体４０は、加熱領域Ｒ１において、非加熱領域Ｒ２よりも多くの熱量を搬送ベルト３０から受けている。搬送ベルト３０によって搬送された後の印刷媒体４０の温度は、加熱領域Ｒ１の方が、非加熱領域Ｒ２に比べて高くなる。印刷媒体４０には、温度分布のばらつき（温度ムラ）が生じる。印刷媒体４０におけるこの温度分布のばらつきは、搬送ベルト３０に形成された複数の吸引孔３１の位置に対応している。
【００３９】
比較例の画像形成装置１００（図１参照）によって画像が印刷された印刷媒体４０においては、キャリア液が比較的多く揮発される部分と、キャリア液が比較的少なく揮発される部分とが存在している。キャリア液の揮発量に生じたばらつきは、印刷媒体４０の表面に形成される画像の品質（たとえば、画像の定着の度合い、画像の光沢の度合い、または画像の裏うつりの度合いなど）にも影響する。
【００４０】
［実施の形態］
本発明に基づいた各実施の形態について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。
【００４１】
［実施の形態１］
図６は、本実施の形態における画像形成装置１０１を模式的に示す図である。画像形成装置１０１は、上述の比較例における定着部５０（図１参照）の代わりに、定着部５１を備える。
【００４２】
（定着部５１）
図７は、本実施の形態における定着部５１を模式的に示す図である。定着部５１は、第１定着器１０、第２定着器２０、搬送ベルト３０ａ（第１搬送ベルト）、および搬送ベルト３０ｂ（第２搬送ベルト）を備える。第１定着器１０および第２定着器２０は、上述の比較例における第１定着器１０および第２定着器２０と同様に構成される。
【００４３】
（搬送ベルト３０ａ）
搬送ベルト３０ａは、第１定着器１０を通過した印刷媒体４０を搬送する。搬送ベルト３０ａは、シリコーンゴムなどの耐熱性の高い部材から環状に構成される。搬送ベルト３０ａは、搬送ベルト３０ａの表面が印刷媒体４０の搬送経路（矢印ＡＲ４０参照）に沿うように配置される。
【００４４】
搬送ベルト３０ａは、駆動ローラー３２ａおよび従動ローラー３３ａに巻きかけられる。駆動ローラー３２ａおよび従動ローラー３３ａは、アルミ等の金属ローラーからそれぞれ構成される。駆動ローラー３２ａは、駆動機構（図示せず）によって回転駆動される。従動ローラー３３ａは、搬送ベルト３０ａを通して従動回転される。
【００４５】
駆動ローラー３２ａの回転速度は、搬送ベルト３０ａの表面が所望の速度で移動するように制御される。駆動ローラー３２ａおよび従動ローラー３３ａの印刷媒体４０の搬送方向における位置関係は、図７に示す態様であってもよいし、図７に示す態様の反対であってもよい。
【００４６】
駆動ローラー３２ａは、加熱手段としてヒーターランプ３５ａ（ハロゲンランプ）を内蔵する。ヒーターランプ３５ａは、搬送ベルト３０ａの温度（搬送ベルト３０ａの表面の温度）が所望の値に設定されるように制御される。搬送ベルト３０ａが所定の温度に加熱されることによって、搬送ベルト３０ａにより搬送される印刷媒体４０は加熱される。印刷媒体４０が第１定着器１０および第２定着器２０の間を搬送される際、印刷媒体４０の温度低下は抑制される。
【００４７】
搬送ベルト３０ａには、搬送ベルト３０ａによって搬送される印刷媒体４０を吸引するための複数の吸引孔３１ａ（第１吸引孔）が設けられる。吸引ファンを内蔵する吸引装置３４ａは、搬送ベルト３０ａによって搬送される印刷媒体４０を、複数の吸引孔３１ａを通して吸引する。
【００４８】
搬送ベルト３０ａによって印刷媒体４０が搬送される際、印刷媒体４０は、複数の吸引孔３１ａを通して吸引されることによって、搬送ベルト３０ａの表面に吸着される。印刷媒体４０は、搬送ベルト３０ａの表面に吸着されるとともに、搬送ベルト３０ａの表面からの熱を受けて昇温される。
【００４９】
（搬送ベルト３０ｂ）
搬送ベルト３０ｂは、搬送ベルト３０ａによって搬送された印刷媒体４０を、第２定着器２０にまで搬送する。搬送ベルト３０ｂは、シリコーンゴムなどの耐熱性の高い部材から環状に構成される。搬送ベルト３０ｂは、搬送ベルト３０ｂの表面が印刷媒体４０の搬送経路（矢印ＡＲ４０参照）に沿うように配置される。印刷媒体４０の搬送方向における搬送ベルト３０ｂの長さは、印刷媒体４０の搬送方向における搬送ベルト３０ａの長さと同一に構成されるとよい。
【００５０】
搬送ベルト３０ｂは、駆動ローラー３２ｂおよび従動ローラー３３ｂに巻きかけられる。駆動ローラー３２ｂおよび従動ローラー３３ｂは、アルミ等の金属ローラーからそれぞれ構成される。駆動ローラー３２ｂは、駆動機構（図示せず）によって回転駆動される。従動ローラー３３ｂは、搬送ベルト３０ｂを通して従動回転される。
【００５１】
駆動ローラー３２ｂの回転速度は、搬送ベルト３０ｂの表面が所望の速度で移動するように制御される。駆動ローラー３２ｂおよび従動ローラー３３ｂの印刷媒体４０の搬送方向における位置関係は、図７に示す態様であってもよいし、図７に示す態様の反対であってもよい。
【００５２】
駆動ローラー３２ｂは、加熱手段としてヒーターランプ３５ｂ（ハロゲンランプ）を内蔵する。ヒーターランプ３５ｂは、搬送ベルト３０ｂの温度（搬送ベルト３０ｂの表面の温度）が所望の値に設定されるように制御される。搬送ベルト３０ｂが所定の温度に加熱されることによって、搬送ベルト３０ｂにより搬送される印刷媒体４０は加熱される。印刷媒体４０が第１定着器１０および第２定着器２０の間を搬送される際、印刷媒体４０の温度低下は抑制される。
【００５３】
搬送ベルト３０ｂには、搬送ベルト３０ｂによって搬送される印刷媒体４０を吸引するための複数の吸引孔３１ｂ（第２吸引孔）が設けられる。吸引ファンを内蔵する吸引装置３４ｂは、搬送ベルト３０ｂによって搬送される印刷媒体４０を、複数の吸引孔３１ｂを通して吸引する。
【００５４】
搬送ベルト３０ｂによって印刷媒体４０が搬送される際、印刷媒体４０は、複数の吸引孔３１ｂを通して吸引されることによって、搬送ベルト３０ｂの表面に吸着される。印刷媒体４０は、搬送ベルト３０ｂの表面に吸着されるとともに、搬送ベルト３０ｂの表面からの熱を受けて昇温される。
【００５５】
図８を参照して、搬送ベルト３０ａに設けられた吸引孔３１ａと、搬送ベルト３０ｂに設けられた吸引孔３１ｂとは、矢印ＡＲ４０方向に搬送される印刷媒体４０の幅方向（矢印ＤＲ４０方向）においてその全部同士が重ならないように配置される。本実施の形態にいては、印刷媒体４０の幅方向において吸引孔３１ａが設けられる領域Ｄ３１ａと、印刷媒体４０の幅方向において吸引孔３１ｂが設けられる領域Ｄ３１ｂとは、印刷媒体４０に対して接触する部分が互いに重ならないようにずれている。
【００５６】
図９は、搬送ベルト３０ａ上を印刷媒体４０が通過する前の様子を示す平面図である。上述のとおり、第１定着器１０（図７参照）を通過した印刷媒体４０は、搬送ベルト３０ａの表面上に送り出される。
【００５７】
図１０は、搬送ベルト３０ａの表面上を印刷媒体４０が通過している際の様子を示す平面図である。図１１は、搬送ベルト３０ａ上を印刷媒体４０が通過している際の、印刷媒体４０の様子を示す平面図である。図１１においては、図示上の便宜のため、搬送ベルト３０ａおよび吸引孔３１ａが示されていない。
【００５８】
図１０および図１１に示すように、印刷媒体４０が搬送ベルト３０ａによって搬送される際、印刷媒体４０は、複数の吸引孔３１ａを通して吸引されることによって、搬送ベルト３０ａの表面に吸着される。印刷媒体４０は、搬送ベルト３０ａの表面に吸着されるとともに、搬送ベルト３０ａの表面からの熱を受けて昇温される。
【００５９】
印刷媒体４０が搬送ベルト３０ａによって搬送される際、印刷媒体４０には、印刷媒体４０および搬送ベルト３０ａ同士が接触することによって加熱される第１接触領域Ｒ１１と、印刷媒体４０および搬送ベルト３０ａ同士が接触せずに複数の吸引孔３１ａを通して吸引される第１非接触領域Ｒ１２とが形成される。
【００６０】
印刷媒体４０は、搬送ベルト３０ａによって搬送される際、主として搬送ベルト３０ａの表面と接触している第１接触領域Ｒ１１から熱を受ける。一方、印刷媒体４０のうち、吸引孔３１ａを通して吸引されている第１非接触領域Ｒ１２は、第１接触領域Ｒ１１に比べて熱を受けにくい。搬送ベルト３０ａによって搬送された後の印刷媒体４０の温度は、第１接触領域Ｒ１１の方が、第１非接触領域Ｒ１２に比べて高くなる。
【００６１】
図１２は、搬送ベルト３０ｂの表面上を印刷媒体４０が通過している際の様子を示す平面図である。図１３は、搬送ベルト３０ｂ上を印刷媒体４０が通過している際の、印刷媒体４０の様子を示す平面図である。図１３においては、図示上の便宜のため、搬送ベルト３０ｂおよび吸引孔３１ｂが示されていない。
【００６２】
図１２および図１３に示すように、印刷媒体４０が搬送ベルト３０ｂによって搬送される際、印刷媒体４０は、複数の吸引孔３１ｂを通して吸引されることによって、搬送ベルト３０ｂの表面に吸着される。印刷媒体４０は、搬送ベルト３０ｂの表面に吸着されるとともに、搬送ベルト３０ｂの表面からの熱を受けて昇温される。
【００６３】
印刷媒体４０が搬送ベルト３０ｂによって搬送される際、印刷媒体４０には、印刷媒体４０および搬送ベルト３０ｂ同士が接触することによって加熱される第２接触領域Ｒ２１と、印刷媒体４０および搬送ベルト３０ｂ同士が接触せずに複数の吸引孔３１ｂを通して吸引される第２非接触領域Ｒ２２とが形成される。
【００６４】
印刷媒体４０は、搬送ベルト３０ｂによって搬送される際、主として搬送ベルト３０ｂの表面と接触している第２接触領域Ｒ２１から熱を受ける。一方、印刷媒体４０のうち、吸引孔３１ｂを通して吸引されている第２非接触領域Ｒ２２は、第２接触領域Ｒ２１に比べて熱を受けにくい。印刷媒体４０は、第２接触領域Ｒ２１において、第２非接触領域Ｒ２２よりも多くの熱量を搬送ベルト３０ｂから受ける。
【００６５】
図１４は、印刷媒体４０が搬送ベルト３０ｂによって搬送された後の印刷媒体４０の様子を示す平面図である（ここでは、印刷媒体４０の搬送方向の前方側の部分に基づいて説明するが、印刷媒体４０の搬送方向の後方側の部分についても同様である）。
【００６６】
上述のとおり、印刷媒体４０が搬送ベルト３０ａ（図１０参照）に搬送されることによって、印刷媒体４０には、第１接触領域Ｒ１１および第１非接触領域Ｒ１２が形成される。印刷媒体４０が搬送ベルト３０ｂ（図１２参照）に搬送されることによって、印刷媒体４０には、第１接触領域Ｒ１１および第１非接触領域Ｒ１２が形成される。
【００６７】
上述のとおり、搬送ベルト３０ａの吸引孔３１ａおよび搬送ベルト３０ｂの吸引孔３１ｂは、印刷媒体４０の幅方向（矢印ＤＲ４０方向）においてその全部同士が重ならないように配置される。当該構成によって、第１接触領域Ｒ１１と第２非接触領域Ｒ２２とが互いに重なるとともに、第１非接触領域Ｒ１２と第２接触領域Ｒ２１とが互いに重なることとなる。第１接触領域Ｒ１１と第２非接触領域Ｒ２２とが互いに重なるとともに、第１非接触領域Ｒ１２と第２接触領域Ｒ２１とが互いに重なるという組合せは、１つであってもよく、複数であってもよい。
【００６８】
本実施の形態においては、第１接触領域Ｒ１１と第２非接触領域Ｒ２２とが互いに重なる部分（図１４中における符号Ｒ１１，Ｒ２２）と、第１非接触領域Ｒ１２と第２接触領域Ｒ２１とが互いに重なる部分（図１４中における符号Ｒ１２，Ｒ２１）とが、印刷媒体４０の搬送方向に対して直交する方向に隣り合って形成される。
【００６９】
図１４中における符号Ｒ１１，Ｒ２１に示される領域（第１接触領域Ｒ１１および第２接触領域Ｒ２１が互いに重なる領域）は、搬送ベルト３０ａおよび搬送ベルト３０ｂの双方によって（２回）加熱される。符号Ｒ１１，Ｒ２２に示される領域（第１接触領域Ｒ１１および第２非接触領域Ｒ２２が互いに重なる領域）は、搬送ベルト３０ａによって（１回）加熱される。符号Ｒ１２，Ｒ２１に示される領域（第１非接触領域Ｒ１２および第２接触領域Ｒ２１が互いに重なる領域）は、搬送ベルト３０ｂによって（１回）加熱される。
【００７０】
印刷媒体４０は、搬送ベルト３０ａおよび搬送ベルト３０ｂによって全体的に加熱される。符号Ｒ１１，Ｒ２１に示される領域の温度と符号Ｒ１１，Ｒ２２に示される領域の温度との差は、上述の比較例（図５参照）における加熱領域Ｒ１の温度と非加熱領域Ｒ２の温度との差に比べて小さい。また、符号Ｒ１１，Ｒ２１に示される領域の温度と符号Ｒ１２，Ｒ２１に示される領域の温度との差も、上述の比較例における加熱領域Ｒ１の温度と非加熱領域Ｒ２の温度との差に比べて小さい。
【００７１】
本実施の形態における画像形成装置１０１および定着部５１によれば、印刷媒体４０の表面にトナー画像を定着させる際に、印刷媒体４０における温度ムラの発生を抑制することが可能となる。キャリア液の揮発量に生じるばらつきは、本実施の形態の方が、上記の比較例よりも小さくなる。したがって、本実施の形態における画像形成装置１０１および定着部５１によれば、印刷媒体４０の表面に形成される画像の品質（たとえば、画像の定着の度合い、画像の光沢の度合い、または画像の裏うつりの度合いなど）を向上させることが可能となる。
【００７２】
また、本実施の形態においては、第１定着器１０および第２定着器２０が用いられる。仮に、第１定着器１０および第２定着器２０の一方のみが用いられるとすると、トナー層中のキャリア液の揮発、および印刷媒体４０の内部のキャリア液の揮発を、１回の定着ニップにて確保するためには、長いニップ時間が必要となる。トナーを溶融させ過ぎることにより高温オフセットが発生したり、印刷媒体４０を加熱し過ぎることによりペーパーブリスタ等が発生したりし、定着性の確保と裏うつり抑制との両立が困難となる。本実施の形態においては、第１定着器１０および第２定着器２０が用いられることによって、定着ニップを２回に分けることで、所定の定着性を確保し易く、また、揮発回数を稼ぐ事も可能となり、揮発効率も良い。
【００７３】
［実施の形態２］
図１５〜図１７を参照して、本実施の形態について説明する。図１５に示すように、本実施の形態においては、搬送ベルト３０ａに設けられた吸引孔３１ａと、搬送ベルト３０ｂに設けられた吸引孔３１ｂとは、印刷媒体４０の搬送方向（矢印ＡＲ４０方向）においてその全部同士が重ならないように配置される。本実施の形態においては、印刷媒体４０の搬送方向において吸引孔３１ａが設けられる領域Ｒ３１ａと、印刷媒体４０の搬送方向において吸引孔３１ｂが設けられる領域Ｒ３１ｂとが、印刷媒体４０に対して接触する部分が互いに重ならないようにずれている。
【００７４】
図１６は、搬送ベルト３０ａ上を印刷媒体４０が通過する前の様子を示す平面図である。上述のとおり、第１定着器１０（図７参照）を通過した印刷媒体４０は、搬送ベルト３０ａの表面上に送り出される。上述の実施の形態１と同様に、印刷媒体４０は、搬送ベルト３０ａおよび搬送ベルト３０ｂに搬送されることによって加熱される。
【００７５】
図１７は、印刷媒体４０が搬送ベルト３０ｂによって搬送された後の印刷媒体４０の様子を示す平面図である（ここでは、印刷媒体４０の搬送方向の前方側の部分に基づいて説明するが、印刷媒体４０の搬送方向の後方側の部分についても同様である）。
【００７６】
上述のとおり、印刷媒体４０が搬送ベルト３０ａ（図１６参照）に搬送されることによって、印刷媒体４０には、第１接触領域Ｒ１１および第１非接触領域Ｒ１２が形成される。印刷媒体４０が搬送ベルト３０ｂ（図１６参照）に搬送されることによって、印刷媒体４０には、第２接触領域Ｒ２１および第２非接触領域Ｒ２２が形成される。
【００７７】
本実施の形態における搬送ベルト３０ａの吸引孔３１ａおよび搬送ベルト３０ｂの吸引孔３１ｂは、印刷媒体４０の搬送方向（矢印ＡＲ４０方向）においてその全部同士が重ならないように配置される。当該構成によって、第１接触領域Ｒ１１と第２非接触領域Ｒ２２とが互いに重なるとともに、第１非接触領域Ｒ１２と第２接触領域Ｒ２１とが互いに重なることとなる。
【００７８】
本実施の形態においては、第１接触領域Ｒ１１と第２非接触領域Ｒ２２とが互いに重なる部分（図１７中における符号Ｒ１１，Ｒ２２）と、第１非接触領域Ｒ１２と第２接触領域Ｒ２１とが互いに重なる部分（図１７中における符号Ｒ１２，Ｒ２１）とが、印刷媒体４０の搬送方向に隣り合って形成される。
【００７９】
図１７中における符号Ｒ１１，Ｒ２１に示される領域（第１接触領域Ｒ１１および第２接触領域Ｒ２１が互いに重なる領域）は、搬送ベルト３０ａおよび搬送ベルト３０ｂの双方によって（２回）加熱される。符号Ｒ１１，Ｒ２２に示される領域（第１接触領域Ｒ１１および第２非接触領域Ｒ２２が互いに重なる領域）は、搬送ベルト３０ａによって（１回）加熱される。符号Ｒ１２，Ｒ２１に示される領域（第１非接触領域Ｒ１２および第２接触領域Ｒ２１が互いに重なる領域）は、搬送ベルト３０ｂによって（１回）加熱される。
【００８０】
印刷媒体４０は、搬送ベルト３０ａおよび搬送ベルト３０ｂによって全体的に加熱される。符号Ｒ１１，Ｒ２１に示される領域の温度と符号Ｒ１１，Ｒ２２に示される領域の温度との差は、上述の比較例（図５参照）における加熱領域Ｒ１の温度と非加熱領域Ｒ２の温度との差に比べて小さい。また、符号Ｒ１１，Ｒ２１に示される領域の温度と符号Ｒ１２，Ｒ２１に示される領域の温度との差も、上述の比較例における加熱領域Ｒ１の温度と非加熱領域Ｒ２の温度との差に比べて小さい。
【００８１】
本実施の形態によっても、印刷媒体４０の表面にトナー画像を定着させる際に、印刷媒体４０における温度ムラの発生を抑制することが可能となる。キャリア液の揮発量に生じるばらつきは、本実施の形態の方が、上記の比較例よりも小さくなる。したがって、本実施の形態によっても、印刷媒体４０の表面に形成される画像の品質（たとえば、画像の定着の度合い、画像の光沢の度合い、または画像の裏うつりの度合いなど）を向上させることが可能となる。
【００８２】
［実施の形態３］
図１８〜図２０を参照して、本実施の形態について説明する。図１８は、本実施の形態における画像形成装置に用いられる定着部５２を模式的に示す図である。
【００８３】
（定着部５２）
定着部５２は、第１定着器１０、第２定着器２０、および搬送ベルト３０ａ〜３０ｄを備える。第１定着器１０および第２定着器２０は、上述の比較例における第１定着器１０および第２定着器２０と同様に構成される。
【００８４】
搬送ベルト３０ａは、上述の実施の形態１，２と同様に、第１定着器１０を通過した印刷媒体４０を搬送する。搬送ベルト３０ｂは、上述の実施の形態１，２と同様に、搬送ベルト３０ａによって搬送された印刷媒体４０を搬送する。
【００８５】
搬送ベルト３０ｃは、搬送ベルト３０ｂによって搬送された印刷媒体４０を搬送する。吸引孔３１ｃ、駆動ローラー３２ｃ、従動ローラー３３ｃ、吸引装置３４ｃ、および、ヒーターランプ３５ｃは、吸引孔３１ａ、駆動ローラー３２ａ、従動ローラー３３ａ、吸引装置３４ａ、および、ヒーターランプ３５ａとそれぞれ略同様に構成される。
【００８６】
搬送ベルト３０ｄは、搬送ベルト３０ｃによって搬送された印刷媒体４０を第２定着器２０にまで搬送する。吸引孔３１ｄ、駆動ローラー３２ｄ、従動ローラー３３ｄ、吸引装置３４ｄ、および、ヒーターランプ３５ｄは、吸引孔３１ｂ、駆動ローラー３２ｂ、従動ローラー３３ｂ、吸引装置３４ｂ、および、ヒーターランプ３５ｂとそれぞれ略同様に構成される。
【００８７】
図１９を参照して、搬送ベルト３０ａに設けられた吸引孔３１ａと、搬送ベルト３０ｂに設けられた吸引孔３１ｂとは、矢印ＡＲ４０方向に搬送される印刷媒体４０の幅方向（矢印ＤＲ４０方向）においてその全部同士が重ならないように配置される。印刷媒体４０の幅方向において吸引孔３１ａが設けられる領域Ｄ３１ａと、印刷媒体４０の幅方向において吸引孔３１ｂが設けられる領域Ｄ３１ｂとは、印刷媒体４０に対して接触する部分が互いに重ならないようにずれている。
【００８８】
搬送ベルト３０ｃに設けられた吸引孔３１ｃと、搬送ベルト３０ｄに設けられた吸引孔３１ｄとは、矢印ＡＲ４０方向に搬送される印刷媒体４０の幅方向（矢印ＤＲ４０方向）においてその全部同士が重ならないように配置される。印刷媒体４０の幅方向において吸引孔３１ｃが設けられる領域Ｄ３１ｃと、印刷媒体４０の幅方向において吸引孔３１ｄが設けられる領域Ｄ３１ｄとは、印刷媒体４０に対して接触する部分が互いに重ならないようにずれている。
【００８９】
さらに、搬送ベルト３０ａに設けられた吸引孔３１ａと、搬送ベルト３０ｃに設けられた吸引孔３１ｃとは、印刷媒体４０の搬送方向（矢印ＡＲ４０方向）においてその全部同士が重ならないように配置される。印刷媒体４０の搬送方向において吸引孔３１ａが設けられる領域Ｒ３１ａと、印刷媒体４０の搬送方向において吸引孔３１ｃが設けられる領域Ｒ３１ｃとは、印刷媒体４０に対して接触する部分が互いに重ならないようにずれている。
【００９０】
同様に、搬送ベルト３０ｂに設けられた吸引孔３１ｂと、搬送ベルト３０ｄに設けられた吸引孔３１ｄとは、印刷媒体４０の搬送方向（矢印ＡＲ４０方向）においてその全部同士が重ならないように配置される。印刷媒体４０の搬送方向において吸引孔３１ｂが設けられる領域Ｒ３１ｂと、印刷媒体４０の搬送方向において吸引孔３１ｄが設けられる領域Ｒ３１ｄとは、印刷媒体４０に対して接触する部分が互いに重ならないようにずれている。
【００９１】
図２０は、印刷媒体４０が搬送ベルト３０ｄによって搬送された後の印刷媒体４０の様子を示す平面図である。印刷媒体４０が搬送ベルト３０ａ〜３０ｄに搬送されることによって、印刷媒体４０には、上述の実施の形態１，２と同様に、各接触領域および各非接触領域が形成される。
【００９２】
図２０中における符号ＲＲ１に示される領域（搬送ベルト３０ａ〜３０ｄにおける各接触領域同士が重なっている領域）は、搬送ベルト３０ａ〜３０ｄの全てによって（４回）加熱されている。符号ＲＲ２に示される領域（搬送ベルト３０ａ〜３０ｄにおける各接触領域のうちの３つと、搬送ベルト３０ａ〜３０ｄにおける非接触領域のうちの１つとが重なっている領域）は、搬送ベルト３０ａ〜３０ｄのうちの３つによって（３回）加熱されている。
【００９３】
本実施の形態においては、印刷媒体４０は、上述の実施の形態１，２に比べて、搬送ベルト３０ａ〜３０ｄによってより均一に加熱されることが可能となる。キャリア液の揮発量に生じるばらつきは、本実施の形態の方が、上記の実施の形態１，２よりも小さくなる。本実施の形態によっても、印刷媒体４０の表面に形成される画像の品質（たとえば、画像の定着の度合い、画像の光沢の度合い、または画像の裏うつりの度合いなど）を向上させることが可能となる。
【００９４】
搬送ベルト３０ａ〜３０ｄの印刷媒体４０の搬送方向における順番は、任意に変更されてもよい。また、各接触領域と各非接触領域とが重なるという組合せは、１つであってもよく、複数であってもよい。
【００９５】
また、図２１に示すように、吸引孔３１ａ〜３１ｄの形状を正方形にすることによって、印刷媒体４０はより均一に加熱されることが可能となる。当該構成によれば、実質的に、印刷媒体４０は搬送ベルト３０ａ〜３０ｄのうちの３つによって均一に加熱される。キャリア液の揮発量に生じるばらつきを、より一層低減することが可能となる。吸引孔３１ａ〜３１ｄの形状としては、正方形以外にも、三角形、四角形、六角形などの多角形であってもよい。
【００９６】
［実施の形態４］
図２２を参照して、本実施の形態においては、定着部として搬送ベルト３０ａ〜３０ｈが用いられる。搬送ベルト３０ａ〜３０ｈには、頂角が９０°の二等辺三角形状に形成された吸引孔３１ａ〜３１ｈが形成される。
【００９７】
吸引孔３１ａ〜３１ｈは、矢印ＡＲ４０方向に搬送される印刷媒体４０の幅方向（矢印ＤＲ４０方向）においてその全部同士が重ならないように配置される。また、吸引孔３１ａ〜３１ｈは、印刷媒体４０の搬送方向（矢印ＡＲ４０方向）においてその全部同士が重ならないように配置される。
【００９８】
当該構成によっても、印刷媒体４０は、上述の実施の形態３と同様に、搬送ベルト３０ａ〜３０ｈによって均一に加熱されることが可能となる。キャリア液の揮発量に生じるばらつきは、本実施の形態の方が、上記の実施の形態１，２よりも小さくなる。本実施の形態によっても、印刷媒体４０の表面に形成される画像の品質（たとえば、画像の定着の度合い、画像の光沢の度合い、または画像の裏うつりの度合いなど）を向上させることが可能となる。
【００９９】
搬送ベルトに対して設けられる吸引孔の形状は、加工の精度などに応じて適宜選択されることができる。搬送ベルト３０ａ〜３０ｈの印刷媒体４０の搬送方向における順番は、任意に変更されてもよい。また、各接触領域と各非接触領域とが重なるという組合せは、１つであってもよく、複数であってもよい。
【０１００】
以上、本発明に基づいた各実施の形態について説明したが、今回開示された各実施の形態はすべての点で例示であって制限的なものではない。たとえば、定着部においては、第１定着器１０および第２定着器２０に加えて、さらに他の定着器が用いられてもよい。したがって、本発明の技術的範囲は特許請求の範囲によって示され、特許請求の範囲と均等の意味および範囲内でのすべての変更が含まれることが意図される。
【符号の説明】
【０１０１】
１Ａ，２Ａ  加熱ローラー、１Ｂ，２Ｂ  加圧ローラー、３Ａ，３Ｂ，４Ａ，４Ｂ，３５，３５ａ，３５ｂ，３５ｃ，３５ｄ  ヒーターランプ、１０  第１定着器、２０  第２定着器、３０，３０ａ〜３０ｈ  搬送ベルト、３１，３１ａ〜３１ｈ  吸引孔、３２，３２ａ〜３２ｄ  駆動ローラー、３３，３３ａ〜３３ｄ  従動ローラー、３４，３４ａ〜３４ｄ  吸引装置、４０  印刷媒体、４１  現像器、４２  感光体、４３  中間転写体、４４  バックアップ部材、４５  トナー画像、５０，５１，５２  定着部、１００，１０１  画像形成装置、Ｒ１  加熱領域、Ｒ２  非加熱領域、Ｒ１１  第１接触領域、Ｒ１２  第１非接触領域、Ｒ２１  第２接触領域、Ｒ２２  第２非接触領域。
【図１】
2013003441.tif 000003
【図２】
2013003441.tif 000004
【図３】
2013003441.tif 000005
【図４】
2013003441.tif 000006
【図５】
2013003441.tif 000007
【図６】
2013003441.tif 000008
【図７】
2013003441.tif 000009
【図８】
2013003441.tif 000010
【図９】
2013003441.tif 000011
【図１０】
2013003441.tif 000012
【図１１】
2013003441.tif 000013
【図１２】
2013003441.tif 000014
【図１３】
2013003441.tif 000015
【図１４】
2013003441.tif 000016
【図１５】
2013003441.tif 000017
【図１６】
2013003441.tif 000018
【図１７】
2013003441.tif 000019
【図１８】
2013003441.tif 000020
【図１９】
2013003441.tif 000021
【図２０】
2013003441.tif 000022
【図２１】
2013003441.tif 000023
【図２２】
2013003441.tif 000024